【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
定められた熱出力を２４時間以内に供給するために第１の動作温度に定格された加熱可能材料（１２０，３１０）を含むコアであって、前記第１の動作温度は前記コアの標準動作温度である、コアと、
少なくとも１つの電気加熱エレメント（３２０）と、
遠隔オペレータと通信し、前記遠隔オペレータからの信号に応答して、前記少なくとも１つの電気加熱エレメントを選択的に起動して前記第１の動作温度への前記加熱可能材料（１２０，３１０）の加熱を実施し、前記少なくとも１つの電気加熱エレメント（３２０）を選択的に起動して第２の動作温度への前記加熱可能材料の加熱を実施するように構成されたコントローラ（５０２，６１５）であって、前記第２の動作温度は前記第１の動作温度よりも高い、コントローラと
を備え、
前記少なくとも１つの電気エレメント（３２０）は、前記第２の動作温度への前記加熱可能材料の加熱を達成するのに十分なエネルギーを、チャージング窓の範囲内で、前記加熱可能材料に供給するように定格され、前記コントローラ（５０２，６１５）は、前記チャージング窓の範囲内に画定された少なくとも１つの時間窓内において、前記少なくとも１つの電気エレメントを起動するように構成されており、前記少なくとも１つの時間窓の持続時間は前記チャージング窓よりも短いことを特徴とする蓄熱装置。
【請求項２】
前記コントローラ（５０２，６１５）は、第１および第２の動作レジームで動作可能であり、第１の動作レジームは、前記コントローラが、前記第１の動作温度への前記加熱可能材料（１２０，３１０）の加熱を実施する標準動作レジームを表し、前記第２の動作レジームは、前記コントローラが、前記第２の動作温度に近い温度への前記加熱可能材料の加熱を実施するヒータの例外的な動作条件を表すことを特徴とする請求項１に記載の装置。
【請求項３】
前記コントローラ（５０２，６１５）は、チャージ期間中に、前記少なくとも１つの時間窓を動的に時間シフトさせるように構成されていることを特徴とする請求項１に記載の装置。
【請求項４】
前記少なくとも１つの時間窓のシフトは前記装置のバックチャージングを提供することを特徴とする請求項３に記載の装置。
【請求項５】
前記コントローラ（５０２，６１５）は、現時点のコア温度を必要なコア温度にシフトさせるのにどれくらいの電力を供給する必要があるのかを決定し、それによって電力窓を画定するように構成されていることを特徴とする請求項１に記載の装置。
【請求項６】
前記コントローラは、前記電力窓を個々のセクションに細分するように構成され、次いで前記個々のセクションはネットワークオペレータが必要に応じて電力を供給するのに使用可能になることを特徴とする請求項５に記載の装置。
【請求項７】
前記コントローラは、前記装置への電力の供給中に、前記画定された電力窓を動的に更新するように構成されていることを特徴とする請求項５に記載の装置。
【請求項８】
複数のバックチャージングアルゴリズムの予め記憶された値または表のうちの１または複数の値または表がその中に記憶されたデータ記憶装置を備え、前記コントローラは、前記時間窓を画定する際に前記データ記憶装置内のデータを使用するように構成されていることを特徴とする請求項１に記載の装置。
【請求項９】
複数のバックチャージングアルゴリズムの予め記憶された値または表のうちの前記１または複数の値または表のどれが前記コントローラによって使用されるのかの選択は、前記装置の据付け時に決定される、または遠隔信号を前記装置に供給することによって決定されるように構成されていることを特徴とする請求項８に記載の装置。
【請求項１０】
前記遠隔オペレータは送電網オペレータであり、前記信号は、送電網内の負荷に依存することを特徴とする請求項１に記載の装置。
【請求項１１】
前記コントローラは、前記装置の過去の使用法を監視し、前記装置の出力が前記装置の前記過去の使用法と整合しない場合に前記標準動作レジームの特性を変化させるように構成されていることを特徴とする請求項２に記載の装置。
【請求項１２】
前記コントローラは、前記装置の予測／予想される使用法を表わすデータとインタフェースし、前記標準動作レジームの特性を変化させるように構成されていることを特徴とする請求項２に記載の装置。
【請求項１３】
前記遠隔オペレータと双方向に通信して、画定された時間窓内の前記装置の予測／予想されるエネルギー必要量を提供し、前記装置の選択的な起動を実施するためのコマンドを前記遠隔オペレータから受け取るように構成されていることを特徴とする請求項１に記載の装置。
【請求項１４】
前記装置が蓄熱ヒータであり、
前記装置は、さらに、
前記コントローラと電気的に通信して、前記加熱可能材料からの加熱された空気を、ヒータの出口から、前記蓄熱ヒータから離れた位置へ分配するのを支援するファンと、
その移動が、前記ファンによって分配される熱空気と冷空気の比率を決定する移動可能な混合フラップ（５１１）と,
前記コントローラは、前記出口において前記加熱された空気の所望の温度を維持するように前記混合フラップおよび／またはファンを調整するように構成されている
ことを特徴とする請求項１に記載の装置。
【請求項１５】
前記コントローラは、分配される熱の動的制御を閉ループ構成で提供するように構成され、
前記混合フラップ（５１１）はアクチュエータに結合されており、前記コントローラは、前記コアの温度から独立して前記アクチュエータを起動するように構成され、
前記コントローラは、ファン速度を調節するように構成されていることを特徴とする請求項１４に記載の装置。
【請求項１６】
熱液体シリンダであり、前記加熱可能材料は水または油であることを特徴とする請求項１に記載の装置。
【請求項１７】
前記熱液体シリンダは、
ａ）前記シリンダから熱水が供給された後に前記シリンダ内にどれくらいの使用可能な熱が残っているのかを計算する手段、
ｂ）前記シリンダの特定の容積内の前記熱の表示を選択的に提供するように構成された複数の熱センサ、または、
ｃ）前記シリンダ内の蓄えられたエネルギーの使用可能な体積に関する情報をユーザに提供するグラフィカルディスプレイ
を備えることを特徴とする請求項１６に記載の装置。
【請求項１８】
少なくとも１つの電気プロバイダおよび少なくとも１つの電気ユーザとインタフェースするように構成された送電網コントローラであって、前記少なくとも１つの電気ユーザの負荷要求を、前記少なくとも１つの電気プロバイダからの使用可能な電力と整合させるように構成されていることを特徴とする送電網コントローラをさらに備えることを特徴とする請求項１に記載の装置を備えるシステム。
【請求項１９】
請求項１乃至１７のいずれか一項に記載の複数の装置とインタフェースして、前記装置の負荷要求を示すデータを受け取るように構成され、
負荷要求を示す前記データは、将来の定められた期間の負荷要求を示すデータを含むことを特徴とする請求項１８に記載のシステム。
【請求項２０】
追加のエネルギーを吸収する前記装置の容量を識別するように構成され、
前記コントローラは、さらに、
ａ）前記電気ユーザからの予想される負荷を、前記電気プロバイダからの前記使用可能な電力と整合させ、将来の定められた１または複数の期間にわたって電気の価格を設定し、
ｂ）前記電気プロバイダから前記電気ユーザへの配電中に前記複数の装置を選択的に起動し、
ｃ）電力の将来の使用可能度と電力レベルの消費のうちの少なくとも一方に応じて、前記複数の装置のうちの個々の装置を選択的に起動し、
ｄ）前記使用可能な電力の将来価格に応じて、前記複数の装置のうちの個々の装置を選択的に起動する
ように構成されることを特徴とする請求項１８に記載のシステム。